(57)【要約】      （修正有）【課題】支持性及び美観性を向上させた電力供給能力を有するブラケットアセンブリを提供する。【解決手段】電力供給能力を有するブラケットアセンブリ１０は、電子デバイスを固持し、保護するとともに、電力をこの電子デバイスに出力することに適用し、それは、板体１００、電力モジュール３００及びブラケットを含む。板体は、嵌合部１２０及び相互に対立する内側面１０１及び外側面を有し、嵌合部が内側面に位置し、且つ電子デバイスに対応する。電力モジュールは、内側面且つ嵌合部と重なり合わない箇所に配置され、電池３１０及び電力伝送部を含み、電力伝送部の一端が電池に電気接続し、他端が電子デバイスに対応し、ブラケットが外側面に設置される。【選択図】図３
0003182573.tif 000002
【実用新案登録請求の範囲】
【請求項１】
電子デバイスを固持するとともに、電力を前記電子デバイスに出力することに適用し、
嵌合部及び相互に対立する内側面及び外側面を有し、前記嵌合部が前記内側面に位置し、且つ前記電子デバイスに対応する板体と、
前記内側面且つ前記嵌合部と重なり合わない箇所に配置され、電池及び電力伝送部を含み、前記電力伝送部の一端が前記電池に電気接続し、他端が前記電子デバイスに対応する電力モジュールと、
前記外側面に設置されるブラケットと、
を含む電力供給能力を有するブラケットアセンブリ。
【請求項２】
前記内側面の周縁に周壁を延伸設置し、前記周壁は、前記電子装置の周縁に対応し、前記嵌合部が前記周壁上に位置する請求項１に記載の電力供給能力を有するブラケットアセンブリ。
【請求項３】
前記内側面の一側に側壁を延伸設置し、前記側壁及び前記周壁の間に収容溝を形成し、前記電力伝送部は、前記収容溝に収容され、且つ出力インタフェースを有し、前記出力インタフェースは、前記側壁に貫通設置され、且つ前記電子デバイスの入力インタフェースに対応する請求項２に記載の電力供給能力を有するブラケットアセンブリ。
【請求項４】
前記内側面に電池溝を凹設し、前記電池は、前記電池溝中に設置され、且つ前記電池及び前記内側面が揃って共同で平坦面を形成する請求項１に記載の電力供給能力を有するブラケットアセンブリ。
【請求項５】
前記板体は、開口を貫通設置し、前記開口が前記内側面及び前記外側面を貫901Aする請求項１に記載の電力供給能力を有するブラケットアセンブリ。
【請求項６】
前記ブラケットは、環部を有し、前記環部は、前記開口に対応し、前記環部が前記開口の周縁に収納されるとともに貼合するか、前記環部が展開されるとともに、載置面上に支持される請求項５に記載の電力供給能力を有するブラケットアセンブリ。
【考案の詳細な説明】
【技術分野】
【０００１】
本考案は、ブラケットアセンブリに関し、特に、電力供給能力を有するブラケットアセンブリに関する。
【背景技術】
【０００２】
近年より、薄型のモバイル(mobile)又はポータブル(portable)電子デバイスが益々普遍的になっており、例えば、スマートフォン(smart phone)及びタブレットＰＣ(tablet PC)等であり、市場における占有率は、日増しに上昇し、現在は、徐々に従来の携帯電話及びノート型パソコンに取って代わり、新世代のモバイル電子デバイスの主流となっている。一般的に、この種のモバイル電子デバイスの本体は、略薄板形構造を呈し、スマートフォンであるか、タブレットＰＣであるかに関わらず、何れも然りであり、且つキーボードを取り付ける基板がないので、卓面上に立てて使用することに便利でない。しかしながら、一般の状況において、この種の電子デバイスは、主に手持ち使用するが、長時間の手持ちは、使用者に疲労を感じさせるという以外に、某状態では卓面に立てて使用することにより適合する状況、例えば、動画観賞又は写真等を自動再生する状況を排除することもできない。
【０００３】
この種のモバイル電子デバイスは、使用上において、もう１つの主要な問題を有し、それは、耐久性が普遍的に不足していることである。その原因を探求すると、従来のデバイスに比較し、現在のモバイル電子デバイスの機能は、更に複雑であり、スクリーンが更に大きく、相応する消費電量もより高いだけでなく、更に自身に内蔵する電池容量が低く、それは、軽薄短小を追求するが故であり、設計において、必然的に容量が比較的大きく、体積が比較的大きな電池を採用することが困難である。既存の製品において、外付けのモバイル電源を提供することができ、この種のモバイル電源は、電池本体及び伝送線を含み、電池本体は、伝送線を介し、前記モバイル電子デバイスの入力インタフェースに挿入接続し、電力を電子デバイスに供給する。しかしながら、この種のモバイル電源は、使用上、不便であり、美観も損なっている。この観点において、従来技術は、更なる解決案を開示していない。
【考案の概要】
【考案が解決しようとする課題】
【０００４】
これに鑑み、本考案の目的は、電力供給能力を有するブラケットアセンブリを提供し、それに支持性及び美観性を兼ね備えさせる以外に、更に、電力供給を提供し、更に便利することにある。
【課題を解決するための手段】
【０００５】
上記目的を達成する為、本考案が提示する電力供給能力を有するブラケットアセンブリは、電子デバイスを固持するとともに、電力を電子デバイスに出力することに適用し、それは、板体、電力モジュール及びブラケットを含む。板体は、嵌合部及び相互に対立する内側面及び外側面を有し、嵌合部が内側面に位置し、且つ電子デバイスに対応する。電力モジュールは、内側面且つ嵌合部と重なり合わない箇所に配置され、電池及び電力伝送部を含み、電力伝送部の一端が電池に電気接続し、他端が電子デバイスに対応し、ブラケットが外側面に設置される。
【０００６】
本考案の実施例において、前記内側面の周縁に周壁を延伸設置し、周壁が電子デバイスの周縁に対応し、嵌合部が周壁上に位置する。
【０００７】
本考案の実施例において、前記内側面の一側に側壁を延伸設置し、側壁及び周壁の間に収容溝を形成し、電力伝送部が収容溝に収容し、且つ出力インタフェースを有し、出力インタフェースが側壁に貫通設置され、且つ電子デバイスの入力インタフェースに対応する。
【０００８】
本考案の実施例において、前記内側面に電池スロットを凹設し、電池が電池スロット中に設置され、且つ電池が内側面と揃えられて共同で平坦面を形成する。
【０００９】
本考案の実施例において、前記板体に開口を貫通設置し、開口が内側面及び外側面を貫通する。
【００１０】
本考案の実施例において、前記ブラケットは、環部を有し、環部が開口に対応し、環部が開口の周縁に収納されるとともに貼合されるか、環部が展開されるとともに載置面上に支持される。
【考案の効果】
【００１１】
本考案が提示する電力供給能力をブラケットアセンブリは、電子デバイスと一体に整合されることができるだけでなく、それを卓面又はその他の載置面上に支持するのに便利であり、同時に電力供給の機能を更に兼ね備え、従来技術に比較し、本考案は、耐久性、利便性、支持性及び美観性を強化している。
【図面の簡単な説明】
【００１２】
【図１】本考案の好適実施例のブラケットアセンブリのブラケット展開状態説明図である。
【図２】本考案の好適実施例のブラケットアセンブリのブラケット収納状態説明図である。
【図３】本考案の好適実施例のブラケットアセンブリの内側正面図である。
【図４】本考案の好適実施例のブラケットアセンブリの説明図である。
【図５】本考案のもう１つの好適実施例のブラケットアセンブリの説明図である。
【考案を実施するための形態】
【００１３】
本考案の目的、特徴及び利点を当業者に理解し易くする為、以下に好適実施例を挙げ、図面に合わせ、詳細を説明する。
【００１４】
＜実施方式＞
図１、図２、図３、図４を同時に参照し、図１は、本考案の好適実施例のブラケットアセンブリのブラケット展開状態説明図であり、図２は、本考案の好適実施例のブラケットアセンブリのブラケット収納状態説明図であり、図３は、本考案の好適実施例のブラケットアセンブリの内側正面図であり、図４は、本考案の好適実施例のブラケットアセンブリの説明図である。ブラケットアセンブリ１０は、電子デバイスを固持するとともに、電力を前記電子デバイスに出力することに適用し、言い換えれば、ブラケットアセンブリ１０は、電子デバイスを支持することができる以外に、更に電子デバイスの電力供給元とすることができる。本実施例において、電子デバイスは、タブレットＰＣであるが、これに限定するものではない。
【００１５】
ブラケットアセンブリ１０は、板体１００、ブラケット２００及び電力モジュール３００を含む。板体１００は、前記タブレットＰＣを固持することに用い、互いに対立する内側面１０１及び外側面１０２を有し、内側面１０１の周縁に周壁１１０を延伸設置し、周壁１１０は、前記タブレットＰＣの周縁に対応し、且つその形状及び構造は、タブレットＰＣの周縁と相互に適合する。このタブレットＰＣが板体１００上に取り付けられる時、板体１００の内側面１０１がタブレットＰＣの背面に隣接され、周壁１１０は、タブレットＰＣの周縁を覆い、板体１００及び前記タブレットＰＣに一体感を有する外観を形成させ、且つ板体１００及び周壁１１０にタブレットＰＣを保護する効果を更に兼ね備えさせる。また、周壁１１０上に嵌合部１２０を有し、嵌合部１２０は、周壁１１０上の板体１００から背面に離れる末端に設置される。本実施例において、嵌合部１２０は、周壁１１０末端の突起構造であり、このタブレットＰＣが板体１００上に安置され、その周縁及び周壁１１０に貼合される時、嵌合部１２０の突起構造は、タブレットＰＣを板体１００及び周壁１１０上に嵌合固定することができる。
【００１６】
板体１００の中央箇所に開口１３０を設け、開口１３０が内側面１０１及び外側面１０２を貫通し、且つそれが円形貫通孔であり、ブラケット２００が板体１００の外側面１０２に設置され、且つ開口１３０に対応する。ブラケット２００は、環部２１０、支持アーム部材２２０及び凹溝２３０を有し、凹溝２３０は、環形を成し且つ開口１３０の周縁に環状に凹設され、環部２１０は、凹溝２３０と補い合う環形構造を有し、環部２１０は、支持アーム部材２２０を介し、凹溝２３０に移動可能に枢着する。これにより、環部２１０は、凹溝２３０中に収納でき、外側面１０２と一体的な平面を形成し、図２に示すように、板体１００上に取り付けたタブレットＰＣを手持ち方式で使用することに有利である。又は環部２１０は、展開することもでき、図１に示すように、板体１００を適当な載置面上に支持することに有利であり、例えば、卓面であり、このように、タブレットＰＣを卓面に立てて使用することができる。
【００１７】
電力モジュール３００は、好ましくは、板体１００の内側面１０１に配置され、これに限定するものではない。電力モジュール３００は、電池３１０及び電力伝送部を含み（図示せず）、板体１００の内側面１０１は、電池スロット１６０を凹設し（図３及び図４は、電池３１０の取り付け位置を示す）、電池３１０は、収容溝１６０を設置する。本実施例において、電池３１０は、板体１００の内側面１０１と揃って共同で平坦面を形成する。内側面１０１の一側は、側壁１４０を延伸設置し、側壁１４０及びその近隣の周壁１１０の間に収容溝１５０を形成し、電力伝送部は、収容溝１５０中に収容することができる。電力伝送部は、出力インタフェース３２０を有し、入力インタフェース３２０は、側壁１４０に貫通設置され、且つタブレットＰＣが有する出力インタフェース３２０に対応して設置される。
【００１８】
電力伝送部は、制御回路を更に含むことができ、且つ導線を接続し（図示せず）、導線の一端に電池310を接続し、他端に制御回路を接続し、制御回路が更に出力インタフェース３２０接続し、そのうち、前記導線は、内側面101上に接着固定されるか板体１００中の所定位置に埋設されることができる。タブレットＰＣは、板体１００上にしっかりと取り付けられる時、出力インタフェース３２０及びタブレットＰＣの入力インタフェースが互いに嵌合して電気接続し、これにより、タブレットＰＣ及び電力モジュール３００が電気的に導通し、ループを形成し、電池３１０が出力する電力は、前記導線を経由し、制御回路に伝送することができ、制御回路は、その電流/電圧を制御した後、出力インタフェース３２０を介し、タブレットＰＣに伝送し、従って、ブラケットアセンブリ１０がタブレットＰＣに電力を供給する能力を実現する。電源供給方面の技術手段に関しては、当業者が熟知しているものであるので、ここでは、更に記載しない。
【００１９】
図５を参照し、図５が開示するのは、本考案の他の好適実施例のブラケットアセンブリの説明図である。図５のブラケットアセンブリ４０は、図１〜図４に示すブラケットアセンブリ１０を例とし、一部の構造の設計を変更している。ブラケットアセンブリ４０は、板体４００を有し、板体４００の内側面４０１の中央箇所に凹部４３０を有し、凹部４３０は、内側面４０１から突出して相対側に凹溝を作る構造であり、それは、相応するブラケットを取り付けることに用い（板体４００の裏側に位置し、図示せず）、電池５１０は、凹部４３０の両側に対称に固定設置され、且つ内側面４０１及び凹部４３０の一部分の上を覆う。
【００２０】
上記のように、本考案は、電力供給能力を有するブラケットアセンブリであり、それは、電子デバイスと一体に整合することができ、電子デバイスを保護することができる以外に、更に美観性を向上させ、ブラケットの展開時、電子デバイスを卓面又はその他の載置面上に支持することに更に便利であり、また、本考案は、更に電力を要求する機能を兼ね備え、従来技術に比較し、本考案は、耐久性、利便性、支持性及び美観性等の方面に対し、解決案を提示している。
【００２１】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２２】
１０，４０  ブラケットアセンブリ
１００，４００  板体
１０１，４０１  内側面
１０２  外側面
１１０  周壁
１２０  嵌合部
１３０  開口
１４０  側壁
１５０  収容溝
１６０  電池溝
２００  ブラケット
２１０  環部
２２０  支持アーム部材
２３０  凹溝
３００  電力モジュール
３１０，５１０  電池
３２０  出力インタフェース
４３０  凹部
【図１】
0003182573.tif 000003
【図２】
0003182573.tif 000004
【図３】
0003182573.tif 000005
【図４】
0003182573.tif 000006
【図５】
0003182573.tif 000007